(57)【特許請求の範囲】
【請求項１】
容器の口部の外側に嵌合可能な外筒部、及び、該外筒部の内側に配置されているとともに該外筒部に連結されて前記口部の内側に連通する内筒部、を有するキャップ本体と、
該キャップ本体に被着される上蓋と、
を備えるキャップにおいて、
前記キャップ本体には、前記内筒部の上部の内側に着脱可能に嵌合されて該内筒部に連通する注出筒部が備えられ、
該注出筒部と前記内筒部とがヒンジ部を介して連結されていることを特徴とするキャップ。
【請求項２】
請求項１記載のキャップにおいて、
前記注出筒部の外周面には、径方向外側に突出したフランジ部が設けられ、
該フランジ部の外縁部の少なくとも一部が、前記内筒部の上端部の外周面よりも径方向外側に突出されていることを特徴とするキャップ。
【発明の詳細な説明】
【技術分野】
【０００１】
本発明は、容器口部に装着可能なキャップであって、特に、容器口部から取り外し可能で分別回収に適したキャップに関する。
【背景技術】
【０００２】
この種のキャップとしては、従来、下記特許文献１に示されているような、容器口部に装着されるキャップ本体と、キャップ本体に被着される上蓋と、を備えた構成が知られている。前記キャップ本体には、容器の口部の外側に嵌合可能な外筒部と、外筒部の内側に配置された内筒部と、内筒部の上部に立設された注出筒部と、が備えられている。上記した外筒部は円環状の天壁部の外縁部から垂下され、上記した内筒部は天壁部の内縁部から垂下されている。また、上記した注出筒部の基端部分には、周方向に延在する平面視略Ｃ状の第一薄肉部が形成されている。また、上記した天壁部には、周方向に延在する平面視略Ｃ状の第二薄肉部が形成されている。第一薄肉部と第二薄肉部とは、互いに反転した向きで形成されている。
【０００３】
上記した構成のキャップ（キャップ本体）を容器口部から取り外す際、まず、注出筒部を指で摘んで捲り上げる。これにより、第一薄肉部が破断され、注出筒部と内筒部とが、Ｃ状の第一薄肉部の両端間に形成された第一連結部を残して分離された状態となる。次に、上記した注出筒部の内側に指を通し、内筒部を捲り上げるように注出筒部を引き上げる。これにより、第二薄肉部が破断され、外筒部と内筒部とが、Ｃ状の第二薄肉部の両端間に形成された第二連結部を残して分離された状態となる。次に、上記した注出筒に指等を通したまま注出筒を横に引く。これにより、外筒部は第二連結部の両側端からそれぞれ縦方向に直線的に破断され、第二連結部に連結された外筒部の一部の上部が径方向外側に向けて折り曲げられる。次に、上記した注出筒に指等を通したまま注出筒を引き上げる。これにより、注出筒と内筒部と外筒部とが連結された状態で引き上げられ、外筒部と容器口部との嵌合が外れて外筒部が容器口部から取り外され、容器とキャップとを分別することができる。
【特許文献１】特許第３０６８８２５号公報
【発明の開示】
【発明が解決しようとする課題】
【０００４】
しかしながら、上記した従来のキャップでは、注出筒部を摘んで捲り上げるようにして第一薄肉部を破断しなければならず、容器口部からキャップを取り外すのが煩雑であるという問題がある。特に、容器の内容物が注出筒部に付着している場合には、その内容物により指が滑るため、力が入りにくく、第一薄肉部を破断することができない場合がある。
【０００５】
本発明は、上記した従来の問題が考慮されたものであり、容器口部からキャップを容易に取り外すことができるキャップを提供することを目的としている。
【課題を解決するための手段】
【０００６】
本発明に係るキャップは、容器の口部の外側に嵌合可能な外筒部、及び、該外筒部の内側から上方に向けて突出しているとともに該外筒部に連結されて前記口部の内側に連通する内筒部、を有するキャップ本体と、該キャップ本体に被着される上蓋と、を備えるキャップにおいて、前記キャップ本体には、前記内筒部の上部の内側に着脱可能に嵌合されて該内筒部に連通する注出筒部が備えられ、該注出筒部と前記内筒部とがヒンジ部を介して連結されていることを特徴としている。
【０００７】
このような特徴により、容器口部に装着されたキャップを取り外す際、まず、ヒンジ部を軸に注出筒部を回転させながら注出筒部を内筒部の上部から引き抜き、その後、引き抜かれた注出筒部に指等を通して注出筒部を引き上げることにより、外筒部と容器筒部との嵌合が外れてキャップ本体が容器口部から取り外される。
【０００８】
また、本発明に係るキャップは、前記注出筒部の外周面には、径方向外側に突出したフランジ部が設けられ、該フランジ部の外縁部の少なくとも一部が、前記内筒部の上端部の外周面よりも径方向外側に突出されていることが好ましい。
【０００９】
これにより、注出筒部を内筒部から引き抜く際、内筒部の外周面よりも径方向外側に突出したフランジ部の外縁部に指等を引っ掛けて注出筒部が引き上げられる。
【発明の効果】
【００１０】
本発明に係るキャップによれば、注出筒部を内筒部から引き抜き、その後、注出筒部を引き上げるだけなので、容器口部からキャップを容易に取り外すことができる。
【発明を実施するための最良の形態】
【００１１】
以下、本発明に係るキャップの実施の形態について、図面に基いて説明する。
【００１２】
図１は本実施の形態におけるキャップ１の断面図であり、図２は後述する注出筒部７が後述する内筒部６から引き抜かれた状態を表すキャップ１の平面図であり、図３は注出筒部７を内筒部６か引き抜く際のキャップ１の断面図であり、図４は後述する外筒部５を後述する容器口部２０から取り外す際のキャップ１の断面図である。
【００１３】
なお、図１に示す鎖線Ｌは、キャップ１の中心軸線を示しており、以下、単にキャップ軸Ｌと記す。また、以下に説明する実施の形態では、キャップ１からみて容器２側（図１における下側）を「下方」とし、その反対側（図１における上側）を「上方」とする。また、後述するヒンジ部７１の軸線方向（図２における横方向）を「左右方向」とする。そして、ヒンジ部７１の軸線方向に直交する方向（図２における縦方向）を「前後方向」とし、ヒンジ部７１側（図２における上側）を後方側とし、その反対側（図２における下側）を前方側とする。
【００１４】
図１に示すように、キャップ１は、容器２の口部２０に装着可能であるとともに、容器口部２０から取り外し可能で分別回収に適したキャップである。キャップ１は、容器口部２０に装着されるキャップ本体３と、キャップ本体３に被着される上蓋４と、を備えている。なお、容器２は、ガラス瓶や合成樹脂製の容器である。容器口部２０は、略円筒形状の筒部であり、容器口部２０の上端部には、径方向外側に膨出した係合部２１が形成されている。
【００１５】
キャップ本体３は、例えば射出成形等より形成された樹脂製部品である。キャップ本体３の概略構成としては、容器口部２０の外側に嵌合可能な外筒部５と、外筒部５の内側に配設された内筒部６と、内筒部６の上部の内側に着脱可能に嵌合された注出筒部７と、内筒部６の内側を閉塞する隔壁部８と、を備えている。上記した外筒部５、内筒部６、注出筒部７及び隔壁部８は一体に形成されており、外筒部５、内筒部６及び注出筒部７は、キャップ軸Ｌを共通軸にして同軸上にそれぞれ配設されている。
【００１６】
外筒部５は、容器口部２０の上端面から容器口部２０の外周面にかけて覆うスカート状の筒部である。詳しく説明すると、外筒部５は、円環状の天壁部５０と、天壁部５０の外縁部から下方に向かうに従い漸次拡径されたテーパー部５１と、テーパー部５１の下端から垂下された略円筒形状の直筒部５２と、を備えている。
【００１７】
天壁部５０は、容器口部２０の上端に当接する壁部である。テーパー部５１は、容器口部２０の上端外周面のテーパー面に沿って形成されている。直筒部５２の下端には、径方向内側に膨出した係合部５３が全周に亘って形成されており、この係合部５３が容器口部２０の係合部２１の下方に係止されることで外筒部５が容器口部２０にアンダーカット嵌合されている。
【００１８】
内筒部６は、容器口部２０の内側に連通する二重筒構造の筒部であり、外筒部５の内側から上方に向かって突出されている。詳しく説明すると、内筒部６は、略円筒形状の係合筒部６０と、係合筒部６０の内側に配設された略円筒形状の内周壁６１と、を備えている。
【００１９】
係合筒部６０の上部は、外筒部５の天壁部５０の上方に突出されており、係合筒部６０の下部は、容器口部２０の内側に嵌合している。図１、図２に示すように、係合筒部６０の上部の外周面のうち前方側の部分及び後方側の部分には、係合筒部６０の上端から下方に向かって延在する凹溝６２，６３がそれぞれ形成されている。また、これら前後の凹溝６２，６３を除いた係合筒部６０の上部の外周面には、上蓋４を螺着するための雄ネジ６４が形成されている。
【００２０】
図１に示すように、内周壁６１は、係合筒部６０との間に隙間をあけて配設されている。内周壁６１の上端は、係合筒部６０の上端よりも下方に位置しており、係合筒部６０の上部の軸方向中間部に全周に亘って連結されている。すなわち、内筒部６の内周面の上端部には、径方向外側に拡径された段差状の嵌合部６５が形成されている。この嵌合部６５の内周面は、内筒部６（係合筒部６０）の上端から下方に向かうに従い漸次縮径されたテーパー形状に形成されており、嵌合部６５（内筒部６）の内周面の上端部には径方向外側に窪んだ溝状の係合部６６が全周に亘って形成されている。また、内周壁６１の下部の内周面には、隔壁部８の下面から下方に向かって延在する凸リブ６７が設けられている。この凸リブ６７は、周方向に間隔をあけて複数設けられている。
【００２１】
また、上記した内筒部６は、外筒部５の内側に配置されており、内筒部６の軸方向中間部と外筒部５の天壁部５０の内縁部とが連結されている。すなわち、内筒部６の軸方向中間部の外周面に、外筒部５の天壁部５０が径方向外側に向けて突設された構成になっている。
【００２２】
注出筒部７は、内筒部６（内周壁６１）の内側に連通する略円筒形状の筒部である。注出筒部７は、下方に向かうに従い漸次縮径されたテーパー形状に形成されており、注出筒部７の上端部は、径方向外側に向けて曲線的に拡径されている。また、注出筒部７の軸方向中間部の外周面には、径方向外側に突出したフランジ部７０が全周に亘って形成されている。フランジ部７０の外周面は、内筒部６の係合筒部６０の外周面と略面一に形成されており、フランジ部７０の外周面のうち、前方側の凹溝６２に対応する部分が凹溝６２の底面よりも径方向外側に形成されている。つまり、フランジ部７０の外縁部のうち、前方側の凹溝６２に対応する部分（指掛け部７０ａ）が、内筒部６の上端部の外周面（凹溝６２の底面）よりも径方向外側に突出されている。
【００２３】
また、注出筒部７と内筒部６とはヒンジ部７１を介して連結されている。このヒンジ部７１は、折り曲げ可能な薄板部であり、内筒部６の後方側の凹溝６３の上端部と注出筒部７のフランジ部７０の後方側部分との間に形成されている。このヒンジ部７１と上記した指掛け部７０ａとは、注出筒部７の中心軸線（キャップ軸Ｌ）を挟んで対称に配設されている。
また、注出筒部７の下部（フランジ部７０よりも下方の部分）の外周面には、径方向外側に膨出した係合部７２が全周に亘って形成されており、この係合部７２が内筒部６の溝状の係合部６６の内側に嵌合されることで注出筒部７が内筒部６にアンダーカット嵌合されている。
【００２４】
隔壁部８は、内筒部６の内周壁６１の内側を閉塞する壁部であり、キャップ軸Ｌに対して垂直に配設された略平板状の壁部である。隔壁部８は、内周壁６１の軸方向中間部分に配設されており、隔壁部８の外縁部は、内周壁６１の内周面に全周に亘って連結されている。また、隔壁部８には、容器２内に収容された内容物を注出するための注出口８０が形成されており、この注出口８０は封止板８１によって密閉されており、封止板８１の外縁と注出口８０の内縁とは薄肉部８２（弱化部）を介して全周に亘って連結されている。また、封止板８１の上面には、指等を掛けることが可能なプルリング８３が設けられている。このプルリング８３は、封止板８１の前方部分に連結されている。
【００２５】
上蓋４は、キャップ本体３の上に着脱自在に被せられる筒状の蓋体であり、その概略構成としては、キャップ軸Ｌに対して垂直に配設された円形板状の天壁部４０と、天壁部４０の外縁部から垂下された筒状の周壁部４１と、天壁部４０の下面に垂設された円筒状の栓部４２と、を備えている。
【００２６】
周壁部４１は、天壁部４０の外縁部に連結された円筒形状の小径部４３と、小径部４３の下端から下方に向かうに従い漸次拡径されたテーパー部４４と、テーパー部４４の下端から垂下されて前記小径部４３よりも大径の大径部４５と、を備えている。小径部４３は、内筒部６の上部及び注出筒部７の径方向外側に周設されており、小径部４３の内周面には、内筒部６の上部の外周面に形成された雄ネジ６４に螺着される雌ネジ部４６が形成されている。テーパー部４４及び大径部４５は、外筒部５の径方向外側に周設されており、テーパー部４４及び大径部４５で外筒部５を覆っている。大径部４５の下端部の内周面には、直筒部５２の外周面に当接する凸リブ４７が突設されている。この凸リブ４７により、直筒部５２を外側から押さえているので、流通時などに上蓋４が安易に抜けることが防止される。また、凸リブ４７によって大径部４５の内周面と直筒部５２の外周面との間に隙間が形成されるので、上蓋４を開閉する際の摩擦抵抗（開栓トルク）が小さくなり、上蓋４が開け易くなる。なお、上記した凸リブ４７は、周方向に連続的或いは間欠的に延在する凸条部であってもよく、或いは、周方向に複数配設されたピン状の突起であってもよい。
【００２７】
栓部４２は、注出筒部７の上部内側に嵌め込まれており、栓部４２の先端部の外周面は、注出筒部７の内周面に全周に亘って密接されている。これにより、上蓋４を閉じた際のシール性が確保され、容器２内の内容物が注出筒部７から漏出することが防止される。
【００２８】
次に、上記した構成からなるキャップ１の作用について説明する。
【００２９】
容器２内に収容された内容物を注出するには、まず、キャップ本体３から上蓋４を取り外し、その後、注出口８０を開封する。詳しく説明すると、上蓋４と容器２とを相対的にキャップ軸Ｌ回りに回転させ、上蓋４の雌ネジ部４６と内筒部６の雄ネジ６４との螺着を外し、上蓋４とキャップ本体３とを分離させる。その後、プルリング８３の内側に指等を通してプルリング８３に指等を引っ掛ける。そして、プルリング８３を上方に引き上げつつプルリング８３を後方に引く。これにより、注出口８０と封止板８１との間の薄肉部８２が破断され、封止板８１が注出口８０の内側から取り外されて注出口８０が開封され、注出口８０から内容物を注出することが可能になる。
【００３０】
また、内容物を注出した後は、キャップ本体３に上蓋４を被着させて保管する。詳しく説明すると、上蓋４をキャップ本体３に被せ、上蓋４と容器２とを相対的にキャップ軸Ｌ回りに回転させ、上蓋４の雌ネジ部４６と内筒部６の雄ネジ６４とを螺着させる。これにより、容器２内の気密性が保持される。
【００３１】
上記した構成からなるキャップ付き容器の使用後には、容器口部２０からキャップ１を取り外し、キャップ１と容器２とを分別して回収する。
容器口部２０からキャップ１を取り外す際には、まず、上蓋４をキャップ本体３から取り外す。
【００３２】
次に、図３に示すように、注出筒部７を内筒部６の上部から引き抜く。詳しく説明すると、内筒部６の前方側の凹溝６２に指等を入れて、内筒部６の外周面（凹溝６２の底面）から突出したフランジ部７０の前方側部分に指等を引っ掛ける。そして、その指等でフランジ部７０の前方側部分を上方に引き上げる。これにより、内筒部６の係合部６６と注出筒部７の係合部７２とのアンダーカット嵌合が前方側から後方側に向かって順次外れていき、注出筒部７がヒンジ部７１を軸に回転しながら内筒部６から引き抜かれる。
【００３３】
次に、図４に示すように、注出筒部７を引き上げて外筒部５を容器口部２０から取り外す。詳しく説明すると、引き抜かれた注出筒部７に指等を通して引っ掛ける。そして、その指等で注出筒部７を上方に引き上げる。これにより、ヒンジ部７１を介して内筒部６及び外筒部５の後方側部分が引き上げられ、外筒部５の係合部５３と容器口部２０の係合部２１とのアンダーカット嵌合が後方側から前方側に向かって順次外れていき、外筒部５が容器口部２０から取り外され、キャップ本体３と容器２とが分離される。
【００３４】
上記した構成からなるキャップ１によれば、注出筒部７を内筒部６の上部から引き抜き、その後、注出筒部７を引き上げるだけなので、容器口部２０からキャップ１（キャップ本体３）を容易に取り外すことができる。仮に、容器２の内容物が注出筒部７に付着している場合であっても、注出筒部７を内筒部６から引き抜くことは可能であり、容器口部２０からキャップ１を取り外すことができる。
【００３５】
また、仮に、従来技術のように注出筒部に周方向に延在する薄肉部が形成されている場合、注出筒部が変形しやすくなり、栓部４２と注出筒部の内周面との間に隙間が生じる場合があり、その場合、その隙間から容器２内の内容物が漏出するおそれがある。これに対して、上記した構成からなるキャップ１によれば、注出筒部７に薄肉部等が形成されてなく、注出筒部７が内筒部６の上部内に嵌合されているため、注出筒部７が変形しにくい。これにより、上蓋４の栓部４２が注出筒部７の内周面に確実に密接され、上蓋４によって内筒部６が確実に密閉され、容器２内の内容物の漏出を確実に防止することができる。
【００３６】
また、注出筒部７の外周にフランジ部７１が設けられ、このフランジ部７０の前方側部分が、内筒部６の外周面（凹溝６２の底面）よりも径方向外側に突出されているので、フランジ部７０の前方側部分に指等が掛かり易く、注出筒部７を引き上げ易い。これにより、キャップ１の取り外し作業を一層容易に行うことができる。
【００３７】
以上、本発明に係るキャップの実施の形態について説明したが、本発明は上記した実施の形態に限定されるものではなく、その趣旨を逸脱しない範囲で適宜変更可能である。
例えば、上記した実施の形態では、外筒部５の係合部５３及び容器口部２０の係合部２１がそれぞれ全周に亘って形成されているが、本発明は、外筒部５の係合部５３が周方向に間欠的（断続的）に設けられていてもよい。これにより、外筒部５と容器口部２０との嵌合強度を小さくすることができ、容器口部２０から外筒部５が取り外し易くなる。なお、外筒部５の係合部５３の膨出量（径方向の長さ）を小さくすることにより、外筒部５と容器口部２０との嵌合強度を小さくすることも可能である。
【００３８】
また、上記した実施の形態では、外筒部５と容器口部２０との嵌合強度は全周に亘って略均一になっているが、本発明は、少なくとも後方側（ヒンジ部７１側）の部分における嵌合強度を前面側の部分よりも弱くしてもよい。例えば、外筒部５の係合部５３の後方側部分の膨出量を、前方側の部分よりも小さくしたり、外筒部５の係合部５３の後方側部分を間欠的に設けて、前方側の部分を連続的に設けたりする。これにより、注出筒部７を引き上げた際、外筒部５の後方側部分が容器口部２０から容易に外れる。そして、一部分の嵌合が外れると、残りの部分も連なって容易に外れるので、前方側部分における外筒部５と容器口部２０との嵌合強度を高くしても外筒部５を容器口部２０から容易に外すことができる。つまり、キャップ１と容器２との分別の容易化を図りつつ、前方側部分における外筒部５と容器口部２０との嵌合強度を高くしてキャップ１が不用意に外れることを防止することができる。
【００３９】
また、上記した実施の形態では、内筒部６の上部の外周面に凹溝６２が形成されており、また、注出筒部７の外周面にはフランジ部７０が全周に亘って形成されており、このフランジ部７０の前方側部分が内筒部６の外周面（凹溝６２の底面）よりも径方向外側に突出した構成になっているが、本発明は、内筒部６に凹溝６２が形成されてなく、フランジ部７０の一部又は全部が内筒部６の外周面よりも径方向外側に突出された構成であってもよい。また、本発明は、フランジ部７０が注出筒部７の周方向の一部分にのみ形成されていてもよく、或いは、フランジ部７０が周方向に間欠的に形成されていてもよい。さらに、本発明は、フランジ部７０が内筒部６の外周面から突出されていない構成にすることも可能であり、また、フランジ部７０が省略された構成にすることも可能である。
【００４０】
また、上記した実施の形態では、外筒部５が、天壁部５０、テーパー部５１及び直筒部５２を備えるスカート状の筒部になっているが、本発明の外筒部の形状は適宜変更可能である。例えば、天壁部５０の外縁部から直筒部５２が垂下された構成の外筒部であってもよく、或いは、下方に向かうに従い漸次拡径された略椀状の外筒部であってもよい。
【００４１】
また、上記した実施の形態では、内筒部６が二重筒構造になっているが、本発明は、内筒部６が三重以上の多重筒構造になっていてもよく、或いは、一重の筒構造であってもよい。また、上記した実施の形態では、内筒部６（係合筒部６０）が略直筒形状になっているが、本発明は、径の異なる筒部を軸線方向に連設した構成からなる多段状の内筒部であってもよい。例えば、内筒部の下側部分に大径筒部が形成されて上側部分に小径筒部が形成された二段構造にしてもよい。その他、本発明の内筒部の形状は適宜変更可能である。
【００４２】
また、上記した実施の形態では、注出筒部７がテーパー形状になっているが、注出筒部７が直筒形状になっていてもよく、或いは、多重筒構造であってもよく、多段状の筒構造になっていてもよい。
また、上記した実施の形態では、注出筒部７の上部が内筒部６の上端から突出されているが、本発明は、注出筒部の全体が内筒部６の内側に収容され、内筒部６の上端から注出筒部７が突出していない構成にすることもできる。この場合、注出筒部を内筒部６から引き抜く際には、注出筒部の内側に指等を入れて注出筒部の下端等に指等を引っ掛けることにより、注出筒部を内筒部６から引き抜くことができる。
【００４３】
また、上記した実施の形態では、平板状の隔壁部８が内筒部６の軸方向中間部分の内側に配設されているが、本発明は、隔壁部が、上方或いは下方に向けて半球状に膨出した形状に形成されていてもよく、その他の形状の隔壁部であってもよい。また、本発明は、内筒部６の下端部の内側に隔壁部が配設されていてもよく、或いは、注出筒部７の内側に隔壁部が形成されていてもよい。さらに、本発明は、隔壁部が省略された構成のキャップにすることも可能である。例えば、内筒部の上部の径が小さく、内筒部の上端が注出口になった構成にすることもできる。
さらに、隔壁部８を別部材で構成し、内筒部６の内側に嵌合させてもよい。
【００４４】
また、上記した実施の形態では、上蓋４がキャップ本体３に螺合された構成になっているが、本発明は、キャップ本体３にヒンジ部を介して上蓋が連結された構成にすることも可能であり、或いは、キャップ本体３の上に上蓋が被せられて嵌合された構成にすることも可能である。
【００４５】
その他、本発明の主旨を逸脱しない範囲で、上記した実施の形態における構成要素を周知の構成要素に置き換えることは適宜可能であり、また、上記した変形例を適宜組み合わせてもよい。
【図面の簡単な説明】
【００４６】
【図１】本発明の実施の形態を説明するためのキャップの断面図である。
【図２】本発明の実施の形態を説明するためのキャップの平面図である。
【図３】本発明の実施の形態を説明するためのキャップの断面図である。
【図４】本発明の実施の形態を説明するためのキャップの断面図である。
【符号の説明】
【００４７】
１  キャップ
２  容器
３  キャップ本体
４  上蓋
２０  容器口部
５  外筒部
６  内筒部
７  注出筒部
７０  フランジ部
７１  ヒンジ部
【図１】
0005011165.tif 000002
【図２】
0005011165.tif 000003
【図３】
0005011165.tif 000004
【図４】
0005011165.tif 000005